(57)【要約】【課題】ジャケットやスーツ上着のボタンホールに装着する装飾を提供する。【解決手段】ボタンホールを挟み込む金具と装飾部を連結する。ボタンホールを挟み込む金具は、その裏面部にボタン裏側のジャケットとボタンを連結している糸を挟み込むフックがあり、そのフックをボタン裏の糸に引っ掛けることにより、ジャケットの左右前身頃をボタンの代りに固定する役割を果たす。以上の装飾金具を、ボタンホール部にジャケットの前側よりボタンホールへ通すことにより、装飾部がジャケット前側に表出される。以上の特徴を持つジャケット用装飾である。【選択図】図１１
2014008352.tif 000002
【特許請求の範囲】
【請求項１】
ジャケットやスーツ上着のボタンホールに取り付ける装飾。
【請求項２】
ジャケットやスーツ上着のボタンホールに取り付ける装飾で、ジャケットに特に糸で固定されているボタンと連結できるフックを有する金具。
【請求項３】
ジャケットやスーツ上着のボタンホールに取り付ける装飾で、ボタンホールより大型、長尺、或いはチェーンやひもなどでつながったデザインの装飾を取り付けることが可能な装飾金具。
【発明の詳細な説明】
【技術分野】
【０００１】
スーツの上着やジャケットのボタンホールに取り付ける装飾を提供する。
【背景技術】
【０００２】
通常、背広の上着やジャケットの前身頃にあるボタンは、生地に直接糸などで縫い付けられており、頻繁に取り換えることは行われていない。ボタンは、固定されていない側のジャケット前身頃の生地の裏側からボタンホールを通過させることにより、ジャケット左右の前身頃を固定している。また、ボタンが掛けられていない状態のジャケットのボタンホールは、ボタンを通す切れ込みが開いているのみの状態となっている。
【発明の概要】
【発明が解決しようとする課題】
【０００３】
ジャケットなどのボタンは、ジャケット生地に糸などで固定されており、装飾を変更する目的で、付け替えることは、手間がかかるため、他のものに替えることなく同じものが使用されることが多かった。そのため、従来のボタンは、装飾としては、変化に乏しかった。
【０００４】
ボタンは、ボタンホールの裏側から表側へ通すことにより、ジャケットの左右前身頃をボタン留めしていたため、ボタンは、ボタンホールより小さくなければならなかった。また、長尺や他のボタンとチェーンやひもなどで結束されているボタンをジャケットに付けることはできなかった。
【０００５】
大型の装飾をボタンに取り付ける製品は存在するものの、一旦左右の前身頃をボタン留めした後に、ボタンへ装飾を取り付けるようになっていた。そのため、前ボタンを外す際には、まずは装飾を取り外す必要があった。
【０００６】
ジャケットの前を開いている、つまりボタン留めしていない状況では、ボタンホールはジャケットに開いた切れ込みでしかなく、装飾性は全くなかった。
【０００７】
本案は、以上のような欠点をなくすためになされたものである。
【課題を解決するための手段】
【０００８】
ジャケットの表側から、ボタンホールに差し込み、ボタンホール下部の布地を挟む部分と更に後ろへ伸びて、ジャケットのボタンと生地の間の糸に引っ掛けることが可能なフックを有する金具に、特に溶接などで装飾部を取り付ける。
本案は、以上の構成からなるボタンホール用装飾である。
【発明の効果】
【０００９】
従来装飾性が全くなかったボタンホールに常時取り付けることが可能な新たな装飾である。
【００１０】
ボタンホールへは、ボタンホールの前側から金具を通し、ジャケット生地を挟み込むことにより、取り付けることができるようになっている。付け外しが容易であるため、装飾を頻繁に取り換えることが可能となり、ジャケットの装飾性を向上させることができる。
【００１１】
本発明の金具の後部のフックは、ボタンと生地の間の糸に引っ掛けることができるようになっており、当該フックを糸に引っ掛けることにより、通常のボタン留めと同じく、ジャケット左右の前身頃を、固定することができる。つまり、従来通りのジャケット着用が可能である。
【００１２】
本発明は、ジャケットの前側からジャケットボタンホールに装着するため、装飾部がボタンホールより大型のものや、長尺、チェーン状の装飾など、様々な装飾を装着することが可能となる。
【００１３】
本発明は、ジャケットのボタンホールの生地部を挟み込むことにより装着する構造となっており、ジャケット生地への穴開けや、糸付などでジャケット生地を痛めることがない。
【００１４】
本発明は、各ボタンホールに別々のデザインの装飾を使うことも可能であるため、様々な装飾の組み合わせを楽しむことができる。
【００１５】
ジャケットの下に着用するシャツのボタンのデザインと関連づけた装飾を着用することも可能となる。
【００１６】
本発明は、着脱が容易であるため、不必要時には、すぐに取り外すことが可能である。
【図面の簡単な説明】
【００１７】
【図１】本発明の正面図である。
【図２】本発明の左側面図である。
【図３】本発明の裏面図である。
【図４】本発明の左側面図で、（4）の破線で囲まれている部分が、ボタンホール下部の生地を挟む金具部分である。本装飾用の金具は、（5）の破線で囲まれている部分を、ジャケットの表側からボタンホールに差込むことにより、装着する。
【図５】本発明の裏面図で、（６）の破線で囲まれている部分が、ボタンをジャケット生地に縫い付けている糸に引っ掛けることのできるフックである。
【図６】ボタンをジャケットに縫い付けている糸へ、本装飾の金具を引っ掛けた状態の裏面図である。
【図７】ボタンをジャケットに縫い付けている糸へ、本装飾の金具を引っ掛けた状態の側面図である。
【図８】ボタンをジャケットに縫い付けている糸へ、本装飾の金具を引っ掛けた状態の断面図である。
【図９】本発明をジャケットに装着した状態を例示した図である。
【図１０】本発明で、装飾部がひもでつながっているデザインを、ジャケットに装着した状態を例示した図である。
【図１１】本発明で、長尺の装飾をジャケットに装着した状態を例示した図である。
【発明を実施するための形態】
【００１８】
ジャケットやスーツの上着に表出させる装飾（1）と金具（2）を、特に溶接で接続する（3）。
金具部の左側面図は、図４（2）の形態となっている。金具下部（5）をジャケットの表側からボタンホールに差し込み、（4）の金具がせばまっている部分で、ボタンホール下部のジャケット生地を挟み込むことにより、金具がジャケットボタンホールに固定される。図8が、本発明の装飾が、ジャケットボタンホールに固定された状態の断面図である。
【００１９】
金具下部（5）は、上方向へ曲がっており、その頂点は、裏面図である図５（6）のようにフック状となっている。このフック部を、ボタンとそのボタンがジャケット生地と固定している糸へ引っ掛けることにより、装飾金具とボタンを固定した状態とすることができるようになっている。図6は、ボタンの糸へフックを引っ掛けた状態の裏面図で、図7はその側面図である。図9は、本発明の装飾を、装着した状態を表した図である。（1-1）は、金具部をボタンをジャケットに縫い付けている糸へ、引っ掛けていない状態を示している。
【符号の説明】
【００２０】
1は装飾部である。2はジャケットボタンホールに取り付ける金具部である。3は装飾部と金具部の接点である。装飾のデザイン次第で、溶接以外にも、金具止めや糸での縫いつけも適用可能である。４の破線で囲まれている部分で、ボタンホール下部のジャケット生地を挟み込む構造となっている。5の破線で囲まれている部分は、ジャケットのボタンホールに本装飾を装着する際に、最初に差し込む部分を示している。６は本装飾の金具部で、ボタンをジャケットに縫い付けている糸へ引っ掛けるフックを示している。７はジャケットのボタン。８はボタンをジャケットに縫い付けている糸。９はボタンホール側のジャケット前身頃。１０はボタンが縫い付けられている側のジャケット前身頃。１１はひもで連結されている装飾の例。１１−１は金具部がボタンの糸へ引っ掛けられていない状態を例示している。１２はひもで連結されている装飾例のひも部分を示している。１３は長尺装飾の例。
【図１】
2014008352.tif 000003
【図２】
2014008352.tif 000004
【図３】
2014008352.tif 000005
【図４】
2014008352.tif 000006
【図５】
2014008352.tif 000007
【図６】
2014008352.tif 000008
【図７】
2014008352.tif 000009
【図８】
2014008352.tif 000010
【図９】
2014008352.tif 000011
【図１０】
2014008352.tif 000012
【図１１】
2014008352.tif 000013